(57)【要約】【課題】  ２つの筐体を有し、互いにスライドする機構を有した携帯端末において、片手で操作可能な自動開閉機構と電気的な相互接続に用いるケーブル部材の余長処理機構が別々であったために小型化に向かないという問題を解決する。【解決手段】  互いにスライド移動可能に連結された第一筐体１および第二筐体２を有し、これら第一筐体および第二筐体を相対的にスライドさせることにより伸縮可能に構成した携帯端末であって、前記携帯端末を伸長する方向に付勢する弾性部７と、前記第一筐体と第二筐体とを電気的に接続する接続部材１２とを備え、前記弾性部により形成される空間に前記接続部材を配置したことを特徴とする。【選択図】    図２
2005167306.tif 000002
【特許請求の範囲】
【請求項１】
互いにスライド移動可能に連結された第一筐体および第二筐体を有し、これら第一筐体および第二筐体を相対的にスライドさせることにより伸縮可能に構成した携帯端末であって、
前記携帯端末を伸長する方向に付勢する弾性部と、
前記第一筐体と第二筐体とを電気的に接続する接続部材と、を備え
前記弾性部により形成される空間に前記接続部材を配置したことを特徴とする携帯端末。
【請求項２】
前記弾性部がコイルバネであり、該コイルバネ内に前記接続部材が挿入されていること特徴とする請求項１に記載の携帯端末。
【請求項３】
前記弾性部材は、前記第一筐体と前記第二筐体の可動により前記接続部材が弛んだ状態にあっても、その弛んだ余長部分も含めた接続部材を収容する空間を形成することを特徴とする請求項１または２に記載の携帯端末。
【請求項４】
前記コイルバネ内に円筒形部材を挿入し、その円筒形部材内に前記接続部材が挿入されていることを特徴とする請求項２または３のいずれかに記載の携帯端末。
【請求項５】
外周を円筒形部材で覆った前記コイルバネ内に、前記接続部材が挿入されていることを特徴とする請求項２または３のいずれかに記載の携帯端末。
【請求項６】
前記接続部材は、ケーブル部材であることを特徴とする請求項１記載の携帯端末。
【請求項７】
前記接続部材はフレキシブル基板であることを特徴とする請求項１記載の携帯端末。
【請求項８】
前記接続部材はカールコードであることを特徴とする請求項１記載の携帯端末。
【発明の詳細な説明】
【技術分野】
【０００１】
本発明は、携帯電話機に代表される携帯端末に関する内容で、特に２つの筐体を有し、互いにスライドすることにより伸長する機構を有した携帯端末に関するものである。
【背景技術】
【０００２】
近年の携帯端末は、携帯電話機に代表されるように飛躍的な機能向上により、単なる通話専用の携帯型電話からＰＤＡ（Personal Digital Assistants）的な使い方が重要視されてきている。また携帯性の利便さから小型化も急速に進む一方で、表示用ＬＣＤ（Liquid Crystal Display）の大型化等から、主に表示用ＬＣＤと受話器を有する第一筐体と、主に操作キーと送話器を有する第二筐体のように別筐体とし、摺動自在に結合した構造が主流となっている。中でも携帯時に大型の表示用ＬＣＤが常に表面に露出しており、筐体を閉じたままで情報の閲覧や着信が可能なスライド型携帯端末が注目されてきている。
【０００３】
スライド式端末の構成としては、表示用ＬＣＤを有していて、主として表示部としての機能を有する第一筐体と、操作キーを有していて主として操作部としての機能を有する第二筐体間との間で信号のやり取りを行うため、これらの間の電気的な相互接続が不可欠である。
このような第一筐体と第二筐体との間の電気的な相互接続には、例えば、フレキシブルな絶縁基板に所定形状の導体パターンを形成してなるフレキシブルプリント基板（以下ＦＰＣという）を用い、このＦＰＣを掛け軸状に巻き取っておき、前記筐体の摺動に伴って巻き出し、あるいは巻き取る方法が採用されている。
【０００４】
一方、この種のスライド操作を伴う携帯端末にあっては、互いにスライド自在な二つの筐体を片手操作によって容易に使用状態とすることができるように求められている。
また、スライド式端末としては、下記の文献があった。
【特許文献１】特開２００２−３６８８６０号公報
【発明の開示】
【発明が解決しようとする課題】
【０００５】
しかしながら、従来の接続方式やスライド機構では、現在市場が求めているような携帯性に優れた小型端末であって、表示用ＬＣＤと操作キーを別筐体に有し、筐体間で信号のやり取りを行う電気的な相互接続が施され、且つ片手でのスライド開閉操作が容易な  構成を得ることが困難であった。すなわち、電気的な相互接続を行っているケーブル部材を巻き取るための余長処理機構が必要であったり、それを収納するためのスペースも必要となり、さらには別途スライドのための自動開閉機構を設ける必要がある等の理由から小型化に不向きであった。またケーブル部材の処理が煩雑になり、スライド部分にかみ込んだり、断線するといった問題があった。
【０００６】
本発明は上記課題に鑑みてなされたもので、その目的は、第一筐体と第二筐体を電気的に相互接続したスライド式端末であって、片手での操作性に優れるとともに、小型で携帯性の優れ、しかも、電気的な接続に必要なケーブル部材を安全かつコンパクトに収納することのできる携帯端末を提供することにある。
【課題を解決するための手段】
【０００７】
上記課題を解決するために本発明は、互いにスライド移動可能に連結された第一筐体および第二筐体を有し、これら第一筐体および第二筐体を相対的にスライドさせることにより伸縮可能に構成した携帯端末であって、前記携帯端末を伸長する方向に付勢する弾性部と、前記第一筐体と第二筐体とを電気的に接続する接続部材とを備え前記弾性部により形成される空間に前記接続部材を配置したことを特徴とする。
また前記弾性部がコイルバネであり、該コイルバネ内に前記接続部材が挿入されていることを特徴とする。
また前記弾性部材は、前記第一筐体と前記第二筐体の可動により前記接続部材が弛んだ状態にあっても、その弛んだ余長部分も含めた接続部材を収容する空間を形成することを特徴とする。
また前記コイルバネ内に円筒形部材を挿入し、その円筒形部材内に前記接続部材が挿入されていることを特徴とする。
また外周を円筒形部材で覆った前記コイルバネ内に、前記接続部材が挿入されていることを特徴とする。
また前記接続部材はケーブル部材であることを特徴とする。
また前記接続部材はフレキシブル基板であることを特徴とする。
また前記接続部材はカールコードであることを特徴とする。
【発明の効果】
【０００８】
以上説明した通り、本発明によれば、２つの筐体を有し、互いにスライドする機構を有した携帯端末において、片手で操作可能な自動開閉機構と電気的な相互接続に用いるケーブル部材の余長処理機構を一つにまとめて携帯端末を小型化することができる。
【発明を実施するための最良の形態】
【０００９】
以下、本発明の第１実施形態について図を用いて詳細に説明する。
図１から図４は、本発明の第１実施形態であるスライド式携帯端末の収縮状態、伸長状態を示す正面図と縦断面図である。
図１中の符号１はスライド式携帯端末の第一筐体である。この第一筐体１には、表示部３、受話器４、サブキー操作部５といった主要部品が配置され、内部には回路基板６ａ、コイルバネ７が配置されている。もう一方は符号２に示される第二筐体である。この第二筐体２は、前記コイルバネ７が弾性部の機能を果たすことにより、前記第一筐体１に対して重なり量が小さくなる方向に付勢されている。また第二筐体２には、キー操作部８、送話器９、アンテナ１０が設けられるとともに、その上側端面には、第一、第二筐体を図１に示す収縮状態（重なり量最大の状態）で固定するためのスライドロックキー１１が設けられている。そして内部には回路基板６ｂが配置されている。さらに第一筐体１内の回路基板６ａと第一筐体２内の回路基板６ｂが接続部材（図１から図４はケーブル部材１２を例示する）の両端に取り付けられたコククタ（図示略）によって電気的に相互接続されている。この接続部材１２は、コイルバネ７の中の空間に配置されている。
【００１０】
スライドロックキー１１の配置場所については特に限定されることはないが、従来は筐体側面や前面に配置されたスライドロックキーを親指で操作していたために、一時的に親指が筐体から離れ、手の中で端末が不安定になったり、第二筐体２に配置した操作キー８を入力する際に、スライドロックキーと操作キー８が離れているために、手の中で持ち替える動作が必要であったが、この第１実施形態では、携帯端末の操作性を高めるため、スライドロックキーを筐体の上側端面に配置している。このような配置することにより、開放操作を人差し指で、その後のキー入力は親指でと、端末を安定して保持したまま操作が可能な構成とした。また、アンテナ１０は、右手でスライドロックキー１１を操作し易いように筐体の左側に配置されている。
【００１１】
第一筐体１及び第二筐体２は携帯端末が伸長する方向にコイルバネ７により付勢されており、携帯端末が収縮した状態で、第二筐体２の端部に取り付けられたスライドロックキー１１が、第一筐体１の端部を抑えるように突き出す構造になっている。携帯端末を伸長する際には、スライドロックキー１１を第二筐体２側に引き込むことでロックが解除され、コイルバネ７の弾性力で携帯端末が伸長する構造になっている。
【００１２】
第１実施形態における接続部材としてのケーブル部材１２は、リード線を３０本束ねて樹脂性の外被を施した線材を使用し、コイルバネ７は引っ張りコイルバネを使用した。詳細には、図２に示すように、第一筐体１と第二筐体２との重なり量が大きくなるように携帯端末を収縮させた状態にあるときは、ケーブル部材１２がコイルバネ７内で、ケーブル部材１２の断線やコネクタの離脱の原因となる張力が生じない程度にわずかに弛んだ状態で格納されるようにケーブル部材１２の全長が設計されている。また図４に示すように、第一筐体１と第二筐体２との重なり量が小さくなるように携帯端末を伸長した状態にあるときは、ケーブル部材１２がさらに弛んだ状態でコイルバネ７内に格納されるようになっている。尚、ケーブル部材１２の長さは、携帯端末を伸長させた状態におけるケーブル部材１２とコイルバネ７との干渉をできるだけ回避するため、携帯端末が収縮した状態において前記張力を生じさせない最小限の弛み量となる長さであることが望ましい。
【００１３】
第１実施形態の接続部材であるケーブル部材１２は、詳細には図５の構成となっている。すなわち、弛んだ状態におけるケーブル線材１２ａがコイルバネ７に噛み込まれて断線するのを防止するため、第一、第二の筐体の重なりが最も小さくなってコイルバネ７が最も短くなる（ばねがなす螺旋が最も縮まる）携帯端末の伸長状態（図３，４の状態）で、コイルピッチＰがケーブル線材１２ａの外径Ｄより大きくなるようにコイルバネ７が設計されているので、コイルバネ７を構成する線材にケーブル線材１２が挟まれることがない。
【００１４】
図６は第２実施形態におけるコイルバネ７と接続部材の状態を詳細に示した図である。この実施形態は、図６に示すように、接続部材として、平面回路を形成したフレキシブル基板１２ｂを使用したものである。この場合、フレキシブル基板１２ｂの厚みＴよりもコイルバネ７が最も短くなる携帯端末の伸長状態でのコイルピッチＰを大きくすることで、前記第１実施形態と同様に、噛み込みや断線を防止することができる。
【００１５】
また図７は、第３実施形態におけるコイルバネ７と接続部材との関係を示すものである。この実施形態は、接続部材として、螺旋状に巻き取られたカールコード１２ｃを使用したものである。この場合、カールコード１２ｃの巻取り外径Ｄ１をコイルバネ７の内径Ｄ２より小さくすることで、前述の各実施形態と同様に噛み込みや断線防止についての同様の効果が得られる。
【００１６】
さらに図８に示す第４実施形態では、接続部材であるケーブル部材１２がコイルバネ７の隙間から外部に突出するのを防止するため、コイルバネ７の内部に円筒形部材１３ａを挿入した構成とされている。また、図９に示す第５実施形態では、コイルバネ７の外周に円筒形部材１３ｂを被せて、同様にケーブル部材１２がコイルバネ７の隙間から外部に突出するのを防止している。
【００１７】
上記実施形態によれば、下記の効果が得られる。
(1) 片手で容易に自動開閉操作やキー入力が可能なスライド式携帯端末が提供できる。  (2) スペースの有効利用により、携帯性に優れ、非常に小型のスライド式携帯端末が提供できる。
(3) 筐体間での電気的な断線等がなく、信頼性が高いスライド式携帯端末が提供できる。
(4) 接続部材の余長処理が容易であり、特別な処理機構も不要であるため、耐久性に優れたスライド式携帯端末が提供できる。
(5) 構造が簡易であるため、部品点数の削減ができ安価なスライド式携帯端末が提供できる。
【００１８】
上記実施形態は、弾性部として引っ張りコイルバネを用いた場合を示したが、圧縮コイルバネ使用した構成も容易に適応することが可能である。また、例えば、並列に配置された一対のコイルバネなどの複数の弾性部を用い、これらの複数の弾性部の間に生じる空間に接続部材であるケーブル部材等を配置する構成としてもよい。
尚、本発明の携帯端末は携帯電話機や携帯情報端末（ＰＤＡ）などを含むものである。
【図面の簡単な説明】
【００１９】
【図１】本発明の第１実施形態であるスライド式携帯端末の収縮状態を示す正面図である。
【図２】本発明の第１実施形態であるスライド式携帯端末の収縮状態を示す縦断面図である。
【図３】本発明の第１実施形態であるスライド式携帯端末の伸長状態を示す正面図である。
【図４】本発明の第１実施形態であるスライド式携帯端末の伸長状態を示す縦断面図である。
【図５】本発明の第１実施形態におけるコイルバネと接続部材の状態を示す斜視図である。
【図６】本発明の第２実施形態におけるコイルバネと接続部材の状態を示す斜視図である。
【図７】本発明の第３実施形態におけるコイルバネと接続部材の状態を示す斜視図ある。
【図８】本発明の第４実施形態におけるコイルバネと接続部材の状態を示す斜視図である。
【図９】本発明の第５実施形態におけるコイルバネと接続部材の状態を示す斜視図である。
【符号の説明】
【００２０】
１：第一筐体   ２：第二筐体    ３：表示部      ４：受話器
５：サブキー操作部     ６ａ：回路基板          ６ｂ：回路基板
７：コイルバネ（弾性部）８：キー操作部        ９：送話器
１０：アンテナ        １１：スライドロックキー
１２：接続部材（ケーブル部材）                １２ａ：接続部材（ケーブル線材）
１２ｂ：接続部材（フレキシブル基板）          １２ｃ：接続部材（カールコード）
１３ａ：円筒形部材     １３ｂ：円筒形部材
【図１】
2005167306.tif 000003
【図２】
2005167306.tif 000004
【図３】
2005167306.tif 000005
【図４】
2005167306.tif 000006
【図５】
2005167306.tif 000007
【図６】
2005167306.tif 000008
【図７】
2005167306.tif 000009
【図８】
2005167306.tif 000010
【図９】
2005167306.tif 000011